(57)【要約】【課題】閉じ姿勢又は閉じ直前姿勢において、開閉検出用の磁石の前記検出位置での磁場の強さが、所定の大きさよりも大きく又は小さくならざるを得ない場合であっても、蓋体の開閉検出を精度良く実行することが可能な開閉式電子機器を提供する。【解決手段】本発明の一実施形態に係る開閉式電子機器においては、機器本体１と、ディスプレイを具えた蓋体２とが互いに開閉可能に連結されており、機器本体１に対して蓋体２を閉じた閉じ姿勢においてディスプレイは機器本体１によって被覆される。機器本体１と蓋体２には、閉じ姿勢にて互いに対向する第１磁気センサ４１と第１磁石３１がそれぞれ配備され、該機器本体１には更に第２磁石３２が配備されており、該第２磁石３２は、第１磁気センサ４１による第１磁石３１の検出位置での第１磁石３１の磁場の強さを減少又は増大させる位置と向きとを有している。【選択図】図７
2010206238.tif 000002
【特許請求の範囲】
【請求項１】
機器本体と、ディスプレイを具えた蓋体とが互いに開閉可能に連結され、機器本体に対して蓋体を閉じた閉じ姿勢において前記ディスプレイが機器本体によって被覆される開閉式電子機器において、
前記機器本体と蓋体には、前記閉じ姿勢にて互いに対向する磁気センサと第１磁石がそれぞれ配備され、該機器本体には更に第２磁石が配備されており、該第２磁石は、前記磁気センサによる前記第１磁石の検出位置での前記第１磁石の磁場の強さを減少又は増大させる位置と向きとを有していることを特徴とする開閉式電子機器。
【請求項２】
前記蓋体は、開閉軸に対して垂直な軸周りに回転可能に前記機器本体に連結されており、該蓋体には第２の磁気センサが更に配備され、該第２の磁気センサは、機器本体に対して蓋体を前記閉じ姿勢から開いた後に該蓋体を回転軸周りに略１８０°回転させた姿勢において前記第２磁石と対向する位置を有している請求項１に記載の開閉式電子機器。
【請求項３】
前記第２磁石の磁化方向が、前記閉じ姿勢にて前記ディスプレイを被覆する機器本体の表面に対して、前記蓋体の最大の開き角度より小さい角度で傾いている請求項２に記載の開閉式電子機器。
【発明の詳細な説明】
【技術分野】
【０００１】
本発明は、ディスプレイを具えた開閉式電子機器に関する。
【背景技術】
【０００２】
ビデオカメラや携帯電話機などの開閉式電子機器は、機器本体と、ディスプレイを具えた蓋体とが互いに開閉可能に連結されており、機器本体に対して該蓋体を閉じてディスプレイを機器本体によって被覆した閉じ姿勢と、機器本体に対して該蓋体を開いてディスプレイを露出させた開き姿勢との間で姿勢の変形が可能である。
従来から、上記蓋体の開閉を検出するために、機器本体と蓋体には、閉じ姿勢において互いに対向する磁気センサと磁石がそれぞれ配備されている（例えば、特許文献１参照）。該構成においては、蓋体を開き姿勢から閉じていくと磁石が磁気センサに近づいていくので、磁気センサによる磁石の検出位置での磁場の強さが増大していく。そして、該検出位置での磁場の強さが所定の大きさに到達したときに、磁気センサによって磁石が検出されることになる。その結果、上記電子機器によって蓋体が閉じられていると判断されることになる。
従って、蓋体の開閉検出、即ち開閉検出用の磁石の検出を、上記電子機器において精度良く実行するためには、閉じ姿勢又は閉じ姿勢から僅かに蓋体が開いた閉じ直前姿勢において、前記検出位置での磁場の強さが上記所定の大きさとなることが好ましい。
【先行技術文献】
【特許文献】
【０００３】
【特許文献１】特開２００８−１８２６０１号公報
【発明の概要】
【発明が解決しようとする課題】
【０００４】
しかしながら、上記電子機器の設計上、閉じ姿勢又は閉じ直前姿勢において、開閉検出用の磁石の前記検出位置での磁場の強さが、所定の大きさより大きくならざるを得ない場合がある。この場合、電子機器の姿勢が、閉じ直前姿勢よりも大きな開き角度で蓋体が開いた姿勢であるにも拘らず、前記検出位置での磁場の強さが所定の大きさとなり、蓋体が閉じられていると電子機器によって判断される虞がある。
又、上記電子機器の設計上、閉じ姿勢又は閉じ直前姿勢であっても、開閉検出用の磁石の前記検出位置での磁場の強さが、所定の大きさより小さくならざるを得ない場合もある。この場合、電子機器の姿勢が閉じ姿勢又は閉じ直前姿勢であるにも拘らず、前記検出位置での磁場の強さが所定の大きさより小さく、蓋体が開いていると電子機器によって判断される虞がある。
そこで本発明の目的は、閉じ姿勢又は閉じ直前姿勢において、開閉検出用の磁石の前記検出位置での磁場の強さが、所定の大きさよりも大きく又は小さくならざるを得ない場合であっても、蓋体の開閉検出を精度良く実行することが可能な開閉式電子機器を提供することである。
【課題を解決するための手段】
【０００５】
本発明に係る開閉式電子機器は、機器本体（１）と、ディスプレイ（２１）を具えた蓋体（２）とが互いに開閉可能に連結され、機器本体（１）に対して蓋体（２）を閉じた閉じ姿勢において前記ディスプレイ（２１）が機器本体（１）によって被覆される開閉式電子機器であって、
前記機器本体（１）と蓋体（２）には、前記閉じ姿勢にて互いに対向する磁気センサ（４１）と第１磁石（３１）がそれぞれ配備され、該機器本体（１）には更に第２磁石（３２）が配備されており、該第２磁石（３２）は、前記磁気センサ（４１）による前記第１磁石（３１）の検出位置での前記第１磁石（３１）の磁場の強さを減少又は増大させる位置と向きとを有している。
【０００６】
上記開閉式電子機器においては、蓋体（２）を閉じていくと第１磁石（３１）が磁気センサ（４１）に近づいていくので、前記検出位置（Ｄ）での磁場の強さが増大していく。そして、該検出位置（Ｄ）での磁場の強さが所定の大きさ（Ｈ０）に到達したときに、磁気センサ（４１）によって第１磁石（３１）が検出されることになる。その結果、開閉式電子機器によって蓋体（２）が閉じられていると判断されることになる。
従って、蓋体（２）の開閉検出、即ち第１磁石（３１）の検出を、上記開閉式電子機器において精度良く実行するためには、閉じ姿勢又は閉じ姿勢から僅かに蓋体（２）が開いた閉じ直前姿勢において、前記検出位置（Ｄ）での磁場の強さが上記所定の大きさ（Ｈ０）となることが好ましい。
【０００７】
しかし、設計上の理由から、前記検出位置（Ｄ）での第１磁石（３１）の磁場の強さが所定の大きさ（Ｈ０）より大きくならざるを得ない場合がある。この場合、第１磁石（３１）だけでは、開閉式電子機器の姿勢が、閉じ直前姿勢よりも大きな開き角度で蓋体（２）が開いた姿勢であるにも拘らず、前記検出位置（Ｄ）での磁場の強さが所定の大きさ（Ｈ０）となり、蓋体（２）が閉じられていると開閉式電子機器によって判断される虞がある。
【０００８】
そこで上記開閉式電子機器の如く、前記検出位置（Ｄ）での第１磁石（３１）の磁場の強さを第２磁石（３２）によって減少させることにより、前記検出位置（Ｄ）での第１磁石（３１）の磁場の強さが所定の大きさ（Ｈ０）より大きくならざるを得ない場合でも、閉じ姿勢又は閉じ直前姿勢における該検出位置（Ｄ）での磁場の強さを所定の大きさ（Ｈ０）に近づけることが出来る。そして、磁気センサ（４１）に対する第２磁石（３２）の位置と方向とを調節することにより、閉じ姿勢又は閉じ直前姿勢における該検出位置（Ｄ）での磁場の強さを所定の大きさ（Ｈ０）にすることが出来る。
【０００９】
又、設計上の理由から、閉じ姿勢又は閉じ直前姿勢であっても、前記検出位置（Ｄ）での第１磁石（３１）の磁場の強さが所定の大きさ（Ｈ０）より小さくならざるを得ない場合がある。この場合、第１磁石（３１）だけでは、開閉式電子機器の姿勢が閉じ姿勢又は閉じ直前姿勢であるにも拘らず、前記検出位置（Ｄ）での磁場の強さが所定の大きさ（Ｈ０）より小さく、蓋体（２）が開いていると開閉式電子機器によって判断される虞がある。
【００１０】
そこで上記開閉式電子機器の如く、前記検出位置（Ｄ）での第１磁石（３１）の磁場の強さを第２磁石（３２）によって増大させることにより、前記検出位置（Ｄ）での第１磁石（３１）の磁場の強さが所定の大きさ（Ｈ０）より小さくならざるを得ない場合でも、閉じ姿勢又は閉じ直前姿勢における該検出位置（Ｄ）での磁場の強さを所定の大きさ（Ｈ０）以上にすることが出来る。そして、磁気センサ（４１）に対する第２磁石（３２）の位置と方向とを調節することにより、閉じ姿勢又は閉じ直前姿勢における該検出位置（Ｄ）での磁場の強さを所定の大きさ（Ｈ０）にすることが出来る。
【００１１】
上記開閉式電子機器の具体的構成において、前記蓋体（２）は、開閉軸（９１）に対して垂直な軸周りに回転可能に前記機器本体（１）に連結されており、該蓋体（２）には第２の磁気センサ（４２）が更に配備され、該第２の磁気センサ（４２）は、機器本体（１）に対して蓋体（２）を前記閉じ姿勢から開いた後に該蓋体（２）を回転軸（９２）周りに略１８０°回転させた姿勢において前記第２磁石（３２）と対向する位置を有している。
【００１２】
上記具体的構成によれば、閉じ姿勢及びその姿勢から蓋体（２）を開いた姿勢においては、第２の磁気センサ（４２）は第２磁石（３２）から離間した位置に配置されることになり、従って第２磁石（３２）は第２の磁気センサ（４２）によって検出されることがない。一方、蓋体（２）が回転軸（９２）周りに略１８０°回転した姿勢においては、第２の磁気センサ（４２）は第２磁石（３２）に近接対向するので、第２磁石（３２）は第２の磁気センサ（４２）によって検出されることになる。従って、上記開閉式電子機器によれば、蓋体（２）の回転検出が可能である。
【００１３】
又、上記開閉式電子機器においては、第２磁石（３２）が、回転検出用の磁石、及び磁気センサ（４１）の検出位置（Ｄ）での第１磁石（３１）の磁場を減少又は増大させる磁石として兼用されているので、開閉式電子機器の構成部品を増やすことなく、蓋体（２）の回転検出と高い精度での蓋体（２）の開閉検出とが実現されている。
【００１４】
更に具体的な構成において、前記第２磁石（３２）の磁化方向が、前記閉じ姿勢にて前記ディスプレイ（２１）を被覆する機器本体（１）の表面に対して、前記蓋体（２）の最大の開き角度より小さい角度で傾いている。
該具体的構成によれば、蓋体（２）を回転軸周りに略１８０°回転させた姿勢で蓋体（２）を開閉した場合において、蓋体（２）が回転されていることを広い角度範囲で検出することが可能になる。
【発明の効果】
【００１５】
本発明に係る開閉式電子機器によれば、閉じ姿勢又は閉じ直前姿勢において、開閉検出用の磁石の前記検出位置での磁場の強さが、所定の大きさよりも大きく又は小さくならざるを得ない場合であっても、蓋体の開閉検出が精度良く実行される。
【図面の簡単な説明】
【００１６】
【図１】本発明の一実施形態に係るビデオカメラを示す斜視図である。
【図２】該ビデオカメラの閉じ姿勢を示した斜視図である。
【図３】該ビデオカメラの開き姿勢を示した斜視図である。
【図４】該ビデオカメラの蓋体が回転した姿勢を示した斜視図である。
【図５】第１磁石、第２磁石、第１磁気センサ、及び第２磁気センサのそれぞれの位置を示したビデオカメラの側面図である。
【図６】第１磁石、第２磁石、及び第１磁気センサのそれぞれの位置を示したビデオカメラの上面図である。
【図７】第１磁石、第２磁石、及び第１磁気センサの位置と向きを示した要部拡大図である。
【図８】第２磁石、第１磁気センサ、及び第２磁気センサの位置と向きを示した要部拡大図である。
【図９】第１磁石と第２磁石の磁力線を示した図である。
【図１０】開き角度と、検出位置でのセンシング方向についての第１磁石の磁場の強さとの関係を、グラフによって示した図である。
【図１１】上記ビデオカメラについて、開き角度と、検出位置でのセンシング方向についての磁場の強さとの関係を、グラフによって示した図である。
【図１２】上記ビデオカメラの改良形態について、第２磁石、第１磁気センサ、及び第２磁気センサの位置と向きを示した要部拡大図である。
【図１３】第１磁石と第２磁石の磁力線を示した図である。
【図１４】開き角度と、検出位置でのセンシング方向についての第１磁石の磁場の強さとの関係を、グラフによって示した図である。
【図１５】改良形態に係るビデオカメラについて、開き角度と、検出位置でのセンシング方向についての磁場の強さとの関係を、グラフによって示した図である。
【発明を実施するための最良の形態】
【００１７】
以下、本発明をビデオカメラに実施した形態につき、図面に沿って具体的に説明する。
本発明の一実施形態に係るビデオカメラは、図１に示す如く、撮影レンズ１１を具えた機器本体１と、ディスプレイ２１を具えた蓋体２とから構成されており、機器本体１と蓋体２とは、図２及び図３に示す如く、ヒンジ機構５によって互い開閉可能に連結されている。
ヒンジ機構５は、機器本体１の一部を構成する支持部５１と、該支持部５１に枢支された可動部５２とから構成され、蓋体２は可動部５２に連結されている。
【００１８】
図２に示す如く機器本体１に対して蓋体２を閉じた閉じ姿勢においては、ディスプレイ２１は機器本体１の表面１２によって被覆される。一方、図３に示す如く機器本体１に対して蓋体２を開いた開き姿勢においては、ディスプレイ２１が露出して、該ディスプレイ２１に表示された画像の視認が可能になる。
【００１９】
図３に示す様に、本実施形態に係るビデオカメラにおいては、機器本体１の表面１２に対する蓋体２の最大の開き角度が約９０°に設定されている。よって、開き姿勢においては、撮影レンズ１１が向く方向（撮影方向）とは反対方向にディスプレイ２１が向くことになり、従ってビデオカメラは、撮影者がディスプレイ２１を視認しながら撮影者とは異なる被写体の撮影を行うことが可能な通常撮影姿勢に設定されることになる。
【００２０】
図３に示す様に、蓋体２は、ヒンジ機構５の支持部５１と可動部５２との枢軸（開閉軸）９１に対して垂直な軸（回転軸）９２周りに回転可能となるように、ヒンジ機構５の連結部５２に枢支されている。
【００２１】
図４に示す様に、本実施形態に係るビデオカメラにおいては、蓋体２を回転軸９２周りに約１８０°回転させることが可能である。従って、蓋体２を回転軸９２周りに約１８０°回転させた姿勢においては、ディスプレイ２１は撮影方向と同じ方向に向くことになり、従ってビデオカメラは、撮影者がディスプレイ２１を視認しながら撮影者自身の撮影を行うことが可能な自分撮り姿勢に設定されることになる。
【００２２】
上記ビデオカメラにおいて機器本体１と蓋体２には、図６に示す様に、閉じ姿勢において互いに対向する第１磁気センサ４１と第１磁石３１がそれぞれ配備されている。又、ヒンジ機構５の支持部５１には第２磁石３２が配備されている。更に、図５に示す様に、蓋体２には第２磁気センサ４２が配備されている。
【００２３】
第１磁気センサ４１は、図５に示す様に、ヒンジ機構５の近傍であって且つ機器本体１の上面近傍の位置を有しており、第２磁石３２は、第１磁気センサ４１と同じ高さ位置を有している。又、第２磁気センサ４２は、機器本体１に対して蓋体２を閉じ姿勢から開いた後に該蓋体２を回転軸９２周りに約１８０°回転させた姿勢において第２磁石３２と対向する位置を有している。
【００２４】
第１磁気センサ４１はホール素子から構成されており、第１磁気センサ４１内に所定の方向（センシング方向）９３に所定の大きさＨ０以上の磁場が流れた場合に、第１磁気センサ４１は第１磁石３１を検出する。同様に、第２磁気センサ４２もホール素子から構成されており、第２磁気センサ４２内に所定の方向（センシング方向）９３に所定の大きさ以上の磁場が流れた場合に、第２磁気センサ４２は第２磁石３２を検出する。
【００２５】
図７に示す様に、第１磁気センサ４１は、そのセンシング方向９３を機器本体１の表面１２の方に向けて配置されている。第１磁石３１は、ディスプレイ２１が配置されている蓋体２の表面２２の方に、該第１磁石３１のＳ極を向けて配置されている。
又、図８に示す様に、第２磁気センサ４２は、そのセンシング方向９３を蓋体２の基端面２３の方に向けて配置されている。又、第２磁石３２は、約４５°の開き角度で開いている蓋体２の基端面２３の方に、該第２磁石３２のＮ極を向けて配置されている。従って、第２磁石３２の磁化方向は、機器本体１の表面１２に対して、蓋体２の最大の開き角度（約９０°）より小さい約４５°の角度で傾くことになる。
【００２６】
上述した第１磁気センサ４１と第１及び第２磁石３１，３２との位置関係によれば、図９に示す様に閉じ姿勢においては、第１磁気センサ４１内を通る第１磁石３１の磁場Ｈ１は、センシング方向９３と同じ方向を向く一方、第１磁気センサ４１内を通る第２磁石３２の磁場Ｈ２は、そのセンシング方向９３の成分Ｈ２ｓがセンシング方向９３とは反対方向を向くことになる。
従って、図９に示す様に、第１磁気センサ４１が第１磁石３１を検出する検出位置Ｄでは、第１磁石３１の磁場Ｈ１の強さが、第２磁石３２によって弱められることになる。
【００２７】
上記ビデオカメラにおいては、蓋体２を開き姿勢から閉じていくと第１磁石３１が第１磁気センサ４１に近づいていくので、検出位置Ｄでのセンシング方向９３についての磁場の強さ（以下、単に「検出位置Ｄでの磁場の強さ」という。）が増大していく。そして、検出位置Ｄでの磁場の強さが所定の大きさＨ０に到達したときに、第１磁気センサ４１によって第１磁石３１が検出されることになる。その結果、ビデオカメラによって蓋体２が閉じられていると判断されることになる。
【００２８】
従って、蓋体２の開閉検出、即ち第１磁石３１の検出を、上記ビデオカメラにおいて精度良く実行するためには、閉じ姿勢又は閉じ姿勢から僅かに蓋体２が開いた閉じ直前姿勢（好ましくは蓋体２の開き角度が５°以下の姿勢）において、検出位置Ｄでの磁場の強さが上記所定の大きさＨ０となることが好ましい。
【００２９】
しかし、設計上の理由から、検出位置Ｄでの第１磁石３１の磁場の強さが所定の大きさＨ０より大きくならざるを得ない場合がある。この場合、第１磁石３１だけでは、ビデオカメラの姿勢が、閉じ直前姿勢（蓋体２の開き角度が５°の姿勢）よりも大きな開き角度で蓋体２が開いた姿勢であるにも拘らず、図１０に示す様に検出位置Ｄでの磁場の強さが所定の大きさＨ０となり、蓋体２が閉じられているとビデオカメラによって判断される虞がある。
尚、図１０では、蓋体２の開き角度が約１０°のときに、検出位置Ｄでの第１磁石３１の磁場の強さが所定の大きさＨ０となる場合が示されている。
【００３０】
そこで上記ビデオカメラの如く（図９）、検出位置Ｄでの第１磁石３１の磁場の強さを第２磁石３２によって減少させることにより、検出位置Ｄでの第１磁石３１の磁場の強さが所定の大きさＨ０より大きくならざるを得ない場合でも、図１１に示す様に、閉じ姿勢又は閉じ直前姿勢における検出位置Ｄでの磁場の強さを所定の大きさＨ０に近づけることが出来る。
そして、第１磁気センサ４１に対する第２磁石３２の位置と方向とを調節することにより、閉じ姿勢又は閉じ直前姿勢における検出位置Ｄでの磁場の強さを所定の大きさＨ０にすることが出来る。尚、図１１では、閉じ直前姿勢（蓋体２の開き角度が５°の姿勢）における該検出位置Ｄでの磁場の強さを所定の大きさＨ０とした場合が示されている。
【００３１】
従って、上記ビデオカメラによれば、閉じ姿勢又は閉じ直前姿勢において、検出位置Ｄでの第１磁石３１の磁場の強さが所定の大きさＨ０より大きくならざるを得ない場合でも、蓋体２の開閉検出が精度良く実行されることになる。
【００３２】
又、上記ビデオカメラにおいては、上述の如く、第２磁気センサ４２は、蓋体２を回転軸９２周りに約１８０°回転させた姿勢において第２磁石３２と対向する位置を有している。
よって、蓋体２を回転軸９２周りに回転させる前の姿勢、即ち閉じ姿勢及びその姿勢から蓋体２を開いた姿勢においては、第２磁気センサ４２は第２磁石３２から離間した位置に配置されることになり、従って第２磁石３２は第２の磁気センサ４２によって検出されることがない。一方、蓋体２が回転軸周りに約１８０°回転した姿勢においては、第２の磁気センサ４２は第２磁石３２に近接するので、第２磁石３２は第２の磁気センサ４２によって検出されることになる。従って、上記ビデオカメラによれば、蓋体２の回転検出が可能である。
【００３３】
そして、上記ビデオカメラにおいては、上述の如く、第２磁石３２の磁化方向は、機器本体１の表面１２に対して、蓋体２の最大の開き角度（約９０°）より小さい約４５°の角度で傾いている。従って、蓋体２を回転軸周りに約１８０°回転させた姿勢で蓋体２を開閉した場合であっても、広い角度範囲において、第２磁石３２の磁力線（図９参照）が第２磁気センサ４２のセンシング方向９３に沿うことになり、その結果、蓋体２が回転されていることを広い角度範囲で検出することが可能になる。
【００３４】
更に又、上記ビデオカメラにおいては、第２磁石３２が、回転検出用の磁石、及び検出位置Ｄでの第１磁石３１の磁場を減少又は増大させる磁石として兼用されているので、ビデオカメラの構成部品を増やすことなく、蓋体２の回転検出と高い精度での蓋体２の開閉検出とが実現されている。
【００３５】
図１２は、上記ビデオカメラの改良形態の例を示した平面図である。図１２に示す様に、第２磁石３２は、約４５°の開き角度で開いている蓋体２の基端面２３の方に、該第２磁石３２のＳ極を向けて配置されてもよい。この場合、第２磁気センサ４２は、そのセンシング方向９３を蓋体２の基端面２３とは反対側に向けて配置される。
【００３６】
上記改良形態に係るビデオカメラによれば、図１３に示す様に閉じ姿勢においては、第１磁気センサ４１内を通る第１磁石３１の磁場Ｈ１、及び第１磁気センサ４１内を通る第２磁石３２の磁場Ｈ２のセンシング方向９３の成分Ｈ２ｓは何れも、センシング方向９３と同じ方向を向くことになる。
従って、図１３に示す様に検出位置Ｄでは、第１磁石３１の磁場Ｈ１の強さが、第２磁石３２によって強めされることになる。
【００３７】
ところでビデオカメラによっては、設計上の理由から、閉じ姿勢又は閉じ直前姿勢であっても、検出位置Ｄでの第１磁石３１の磁場の強さが所定の大きさＨ０より小さくならざるを得ない場合がある。この場合、第１磁石３１だけでは、ビデオカメラの姿勢が閉じ姿勢又は閉じ直前姿勢（蓋体２の開き角度が５°の姿勢）であるにも拘らず、図１４に示す様に検出位置Ｄでの磁場の強さが所定の大きさＨ０より小さくなり、蓋体２が開いているとビデオカメラによって判断される虞がある。
【００３８】
そこで上記改良形態に係るビデオカメラの如く（図１３）、検出位置Ｄでの第１磁石３１の磁場の強さを第２磁石３２によって増大させることにより、検出位置Ｄでの第１磁石３１の磁場の強さが所定の大きさＨ０より小さくならざるを得ない場合でも、図１５に示す様に、閉じ姿勢又は閉じ直前姿勢における検出位置Ｄでの磁場の強さを所定の大きさＨ０以上にすることが出来る。
そして、第１磁気センサ４１に対する第２磁石３２の位置と方向とを調節することにより、閉じ姿勢又は閉じ直前姿勢における検出位置Ｄでの磁場の強さを所定の大きさＨ０にすることが出来る。尚、図１５では、閉じ直前姿勢（蓋体２の開き角度が５°の姿勢）における該検出位置Ｄでの磁場の強さを所定の大きさＨ０とした場合が示されている。
【００３９】
従って、上記改良形態に係るビデオカメラによれば、閉じ姿勢又は閉じ直前姿勢において、検出位置Ｄでの第１磁石３１の磁場の強さが所定の大きさＨ０より小さくならざるを得ない場合でも、蓋体２の開閉検出が精度良く実行されることになる。
【００４０】
尚、本発明の各部構成は上記実施形態に限らず、特許請求の範囲に記載の技術的範囲内で種々の変形が可能である。例えば、第１磁石３１、第２磁石３２、第１磁気センサ４１、及び第２磁気センサ４２の配置と向きは、上記実施形態に限定されるものではなく、蓋体２の回転検出と開閉検出を可能にすると共に第２磁石３２によって検出位置Ｄの第１磁石３１の磁場の強さを減少又は増大させることが可能な配置と向きであればよい。
【００４１】
又、上記実施形態においては、蓋体２の最大の開き角度は約９０°であり、第２磁石３２の磁化方向は、機器本体１の表面１２に対して約４５°の角度で傾いていたが、本発明はこれに限定されるものではない。即ち、蓋体２の最大の開き角度は、約９０°より大きくても小さくてもよい。第２磁石３２の磁化方向が機器本体１の表面１２に対して傾く角度は、蓋体２の最大の開き角度より小さい角度で適宜調節することが出来る。
【００４２】
更に、本発明は、ビデオカメラに限らず、互いに開閉可能に連結された機器本体と蓋体とを具えた種々の開閉式電子機器、例えば携帯電話機に適用することが出来る。
【符号の説明】
【００４３】
１  機器本体
２  蓋体
２１  ディスプレイ
３１  第１磁石
３２  第２磁石
４１  第１磁気センサ
４２  第２磁気センサ
９１  開閉軸
９２  回転軸
【図１】
2010206238.tif 000003
【図２】
2010206238.tif 000004
【図３】
2010206238.tif 000005
【図４】
2010206238.tif 000006
【図５】
2010206238.tif 000007
【図６】
2010206238.tif 000008
【図７】
2010206238.tif 000009
【図８】
2010206238.tif 000010
【図９】
2010206238.tif 000011
【図１０】
2010206238.tif 000012
【図１１】
2010206238.tif 000013
【図１２】
2010206238.tif 000014
【図１３】
2010206238.tif 000015
【図１４】
2010206238.tif 000016
【図１５】
2010206238.tif 000017